(57)【特許請求の範囲】
【請求項１】
音響装置であって、
音響用のパラメータの大きさを示す図形を表示画面に表示する表示手段と、
前記表示画面に設けられるタッチパネルと、
前記タッチパネルへのピンチイン及びピンチアウトの操作に応答して、前記パラメータの大きさ、及び、前記図形を変更する変更手段と、
を備え、
前記パラメータは、音の広がり感を示す音場レベル、を含み、
前記変更手段は、前記ピンチイン及び前記ピンチアウトの操作に応答して前記音場レベルの大きさ、及び、前記図形の大きさを変更し、
前記変更手段は、前記タッチパネルへの前記図形の一方の外部から他方の外部まで指を動かす操作に応答して、前記図形を２つの図形に分離し、
分離した後の前記２つの図形のそれぞれは、前記音響用のパラメータの大きさを示すことを特徴とする音響装置。
【請求項２】
請求項１に記載の音響装置において、
前記音響装置は、車両に搭載される車載装置であることを特徴とする音響装置。
【請求項３】
音響用のパラメータを変更するパラメータ変更方法であって、
（ａ）音響用のパラメータの大きさを示す図形を表示画面に表示する工程と、
（ｂ）前記表示画面に設けられるタッチパネルへのピンチイン及びピンチアウトの操作に応答して、前記パラメータの大きさ、及び、前記図形を変更する工程と、
を備え、
前記パラメータは、音の広がり感を示す音場レベル、を含み、
前記工程（ｂ）は、前記ピンチイン及び前記ピンチアウトの操作に応答して前記音場レベルの大きさ、及び、前記図形の大きさを変更し、
前記工程（ｂ）は、前記タッチパネルへの前記図形の一方の外部から他方の外部まで指を動かす操作に応答して、前記図形を２つの図形に分離し、
分離した後の前記２つの図形のそれぞれは、前記音響用のパラメータの大きさを示すことを特徴とするパラメータ変更方法。
【請求項４】
コンピュータによって実行可能なプログラムであって、
前記コンピュータによる前記プログラムの実行は、前記コンピュータに、
（ａ）音響用のパラメータの大きさを示す図形を表示画面に表示する工程と、
（ｂ）前記表示画面に設けられるタッチパネルへのピンチイン及びピンチアウトの操作に応答して、前記パラメータの大きさ、及び、前記図形を変更する工程と、
を実行させ、
前記パラメータは、音の広がり感を示す音場レベル、を含み、
前記工程（ｂ）は、前記ピンチイン及び前記ピンチアウトの操作に応答して前記音場レベルの大きさ、及び、前記図形の大きさを変更し、
前記工程（ｂ）は、前記タッチパネルへの前記図形の一方の外部から他方の外部まで指を動かす操作に応答して、前記図形を２つの図形に分離し、
分離した後の前記２つの図形のそれぞれは、前記音響用のパラメータの大きさを示すことを特徴とするプログラム。
【発明の詳細な説明】
【技術分野】
【０００１】
本発明は、音響用のパラメータを変更可能な音響装置に関する。
【背景技術】
【０００２】
音を再生する音響装置では、一般に、音質を調整するために各種の音響用のパラメータが変更できるようになっている。このような音響用のパラメータを変更する機能として、例えばイコライザ機能がある。イコライザ機能は、複数のバンド（帯域）ごとの増幅度（ゲイン）やＱ値などのパラメータを変更することで、音声信号の周波数特性を変更する機能である。このような機能を利用することで、ユーザは、音響装置で再生される音の音質を好みの音質に調整できる。
【０００３】
なお、本明細書で説明する技術に関連する技術を開示した文献として特許文献１がある。
【先行技術文献】
【特許文献】
【０００４】
【特許文献１】国際公開第２００８／０９０８９６号
【発明の概要】
【発明が解決しようとする課題】
【０００５】
近年、タッチパネルを採用し、ユーザがタッチパネルに触れることで音響用のパラメータを変更可能な音響装置が提案されている。一般に、タッチパネルを採用する音響装置では、ユーザが表示画面のコマンドボタンに触れることで、パラメータの大きさを変更できるようになっている。しかしながら、ユーザは、コマンドボタンに触れることでパラメータの大きさがどのように変わるかを予め把握しておかなければならず、パラメータの大きさを直感的に変更することはできなかった。
【０００６】
ところで、車両に搭載される車載装置としての音響装置を利用する場合においては、信号待ちの停車中などの比較的短い期間に、ユーザは、車両の周辺の状況等に注意を払いつつ音響用のパラメータを変更する場面がある。このため、特に音響装置が車載装置である場合においては、音響用のパラメータの大きさを直感的に変更できる技術が強く要望されていた。
【０００７】
本発明は、上記課題に鑑みてなされたものであり、音響用のパラメータの大きさを直感的に変更できる技術を提供することを目的とする。
【課題を解決するための手段】
【０００８】
上記課題を解決するため、請求項１の発明は、音響装置であって、音響用のパラメータの大きさを示す図形を表示画面に表示する表示手段と、前記表示画面に設けられるタッチパネルと、前記タッチパネルへのピンチイン及びピンチアウトの操作に応答して、前記パラメータの大きさ、及び、前記図形を変更する変更手段と、を備え、前記パラメータは、音の広がり感を示す音場レベル、を含み、前記変更手段は、前記ピンチイン及び前記ピンチアウトの操作に応答して前記音場レベルの大きさ、及び、前記図形の大きさを変更し、前記変更手段は、前記タッチパネルへの前記図形の一方の外部から他方の外部まで指を動かす操作に応答して、前記図形を２つの図形に分離し、分離した後の前記２つの図形のそれぞれは、前記音響用のパラメータの大きさを示す。
【００１５】
また、請求項２の発明は、請求項１に記載の音響装置において、前記音響装置は、車両に搭載される車載装置である。
【００１６】
また、請求項３の発明は、音響用のパラメータを変更するパラメータ変更方法であって、（ａ）音響用のパラメータの大きさを示す図形を表示画面に表示する工程と、（ｂ）前記表示画面に設けられるタッチパネルへのピンチイン及びピンチアウトの操作に応答して、前記パラメータの大きさ、及び、前記図形を変更する工程と、を備え、前記パラメータは、音の広がり感を示す音場レベル、を含み、前記工程（ｂ）は、前記ピンチイン及び前記ピンチアウトの操作に応答して前記音場レベルの大きさ、及び、前記図形の大きさを変更し、前記工程（ｂ）は、前記タッチパネルへの前記図形の一方の外部から他方の外部まで指を動かす操作に応答して、前記図形を２つの図形に分離し、分離した後の前記２つの図形のそれぞれは、前記音響用のパラメータの大きさを示す。
【００１７】
また、請求項４の発明は、コンピュータによって実行可能なプログラムであって、前記コンピュータによる前記プログラムの実行は、前記コンピュータに、（ａ）音響用のパラメータの大きさを示す図形を表示画面に表示する工程と、（ｂ）前記表示画面に設けられるタッチパネルへのピンチイン及びピンチアウトの操作に応答して、前記パラメータの大きさ、及び、前記図形を変更する工程と、を実行させ、前記パラメータは、音の広がり感を示す音場レベル、を含み、前記工程（ｂ）は、前記ピンチイン及び前記ピンチアウトの操作に応答して前記音場レベルの大きさ、及び、前記図形の大きさを変更し、前記工程（ｂ）は、前記タッチパネルへの前記図形の一方の外部から他方の外部まで指を動かす操作に応答して、前記図形を２つの図形に分離し、分離した後の前記２つの図形のそれぞれは、前記音響用のパラメータの大きさを示す。
【発明の効果】
【００１８】
請求項１ないし４の発明によれば、タッチパネルへのピンチイン及びピンチアウトの操作によって音響用のパラメータの大きさを変更でき、その変更後の大きさを図形で確認できる。このため、ユーザは、音響用のパラメータの大きさを直感的に変更することができる。
【００２５】
また、特に請求項２の発明によれば、信号待ちなどの比較的短い期間であっても、ユーザは、音響用のパラメータの大きさを容易に変更することができる。
【図面の簡単な説明】
【００２６】
【図１】図１は、音響装置の構成を示す図である。
【図２】図２は、イコライザカーブの例を示す図である。
【図３】図３は、バンドカーブを変更するための表示内容を示す図である。
【図４】図４は、ピンチイン及びピンチアウトの操作を説明する図である。
【図５】図５は、「Ｑ値」の大きさを変更する操作を説明する図である。
【図６】図６は、「増幅度」の大きさを変更する操作を説明する図である。
【図７】図７は、「中心周波数」の大きさを変更する操作を説明する図である。
【図８】図８は、「レベル」の大きさを変更する操作を説明する図である。
【図９】図９は、パラメータの大きさを変更する処理の流れを示す図である。
【図１０】図１０は、「スロープ」の大きさを変更する操作を説明する図である。
【図１１】図１１は、「カットオフ周波数」の大きさを変更する操作を説明する図である。
【図１２】図１２は、「センターウィズ」の大きさを変更する操作を説明する図である。
【図１３】図１３は、「遅延時間」の大きさを変更する操作を説明する図である。
【図１４】図１４は、「変化速度」の大きさを変更する操作を説明する図である。
【図１５】図１５は、「目標レベル」の大きさを変更する操作を説明する図である。
【図１６】図１６は、「音場レベル」の大きさを変更する操作を説明する図である。
【図１７】図１７は、「音像座標」の大きさを変更する操作を説明する図である。
【図１８】図１８は、音像を定位させる領域を分離する操作を説明する図である。
【図１９】図１９は、文字パラメータの大きさを変更する操作を説明する図である。
【図２０】図２０は、文字パラメータの種類を変更する操作を説明する図である。
【発明を実施するための形態】
【００２７】
以下、図面を参照しつつ本発明の実施の形態について説明する。
【００２８】
＜１．第１の実施の形態＞
＜１−１．構成＞
図１は、本実施の形態の音響装置１の構成を示す図である。この音響装置１は、例えば、自動車などの車両に搭載される車載装置（カーオーディオ装置）となっている。音響装置１は、車両の車室内に設けられ、ディスク８の記録内容などに基づく音を再生し、車室内に設けられる複数のスピーカ２１を介して車室内に音を出力する。
【００２９】
音響装置１は、制御部１１と、音声処理部１２と、ディスク読取部１３と、記憶部１４と、ディスプレイ１５と、タッチパネル１６とを備えている。
【００３０】
音声処理部１２は、例えば、ＤＳＰ（Digital Signal Processor）と呼ばれる、音声信号を対象とした信号処理を高速に行なうことを目的とした専用のプロセッサ（ハードウェア回路）である。音声処理部１２は、音声信号に対して各種の信号処理を実行することで、音響装置１で再生される音の音質を変更することが可能である。音声処理部１２は、例えば、音声信号の周波数特性を変更するイコライザ機能を有している。音声処理部１２は、処理した音声信号をスピーカ２１に出力する。これにより、音質が調整された音がスピーカ２１から出力される。
【００３１】
ディスク読取部１３は、ＣＤやＤＶＤなどのディスク８の読取装置である。ディスク読取部１３は、ディスク８の記録内容を取得して、その記録内容を示す音声信号を音声処理部１２に出力する。
【００３２】
記憶部１４は、例えば、フラッシュメモリなどの不揮発性メモリであり、各種の情報を記憶する。記憶部１４は、音声データ１４ａ、パラメータ１４ｂ及びプログラム１４ｃを記憶している。
【００３３】
音声データ１４ａは、ＭＰ３などの所定の音声圧縮形式のデジタルデータである。この音声データ１４ａをデコードすることで音声信号が得られる。音声処理部１２は、ディスク８の記録内容に基づく音声信号と、記憶部１４に記憶された音声データ１４ａに基づく音声信号とのいずれも対象にして、信号処理を実行することが可能である。すなわち、音響装置１は、ディスク８に基づく音と音声データ１４ａに基づく音とのいずれも再生できる。音響装置１が、いずれの音を再生するかは、ユーザによって指示される。
【００３４】
パラメータ１４ｂは、音声処理部１２が信号処理に用いる音響用のパラメータである。パラメータ１４ｂは、例えば、イコライザ機能における各バンドの「増幅度」や「Ｑ値」などを含む。音声処理部１２は、このパラメータ１４ｂに基づいて、音声信号に対して各種の信号処理を実行する。したがって、音響装置１で再生される音の音質は、パラメータ１４ｂによって規定される。
【００３５】
ディスプレイ１５は、例えば、液晶パネルなどを備えた薄型の表示装置である。ディスプレイ１５は、制御部１１からの指示に従って、各種の情報を表示する。音響装置１は、このディスプレイ１５の表示画面がユーザから視認可能なように、車室内のインストルメントパネルなどに配置される。
【００３６】
タッチパネル１６は、ユーザが指で直接的に触れて操作する入力装置である。タッチパネル１６は、ディスプレイ１５の表示画面に重ねて設けられる。タッチパネル１６は、複数のポイントに同時に触れて操作することができるマルチタッチ方式を採用している。したがって、ユーザは、ピンチイン及びピンチアウトなどの複数の指を用いた操作をタッチパネル１６に対して行うことが可能である。ユーザが、タッチパネル１６を操作した場合は、操作したポイントを示す信号が制御部１１に入力される。
【００３７】
また、制御部１１は、音響装置１の全体を統括的に制御するマイクロコンピュータである。制御部１１は、ＣＰＵ、ＲＡＭ及びＲＯＭなどを備えている。制御部１１の各種の機能は、記憶部１４に記憶されたプログラム１４ｃに従ってＣＰＵが演算処理を行うことで実現される。図中に示す操作判定部１１ａ、パラメータ変更部１１ｂ及び表示制御部１１ｃは、プログラム１４ｃに従ってＣＰＵが演算処理を行うことで実現される制御部１１の機能の一部である。
【００３８】
操作判定部１１ａは、ユーザがタッチパネル１６を操作した場合に、タッチパネル１６から入力される信号に基づいてユーザの操作内容を判定する。操作判定部１１ａは、タッチパネル１６へのユーザの操作が、タップ、ダブルタップ、ドラッグ、フリック、ピンチイン、及び、ピンチアウトなどのいずれであるかを判定する。また、操作判定部１１ａは、ユーザの操作がドラッグ、フリック、ピンチイン、及び、ピンチアウトなど指の移動を伴う場合は、操作方向、及び、指の移動量などについても判定する。
【００３９】
パラメータ変更部１１ｂは、タッチパネル１６へユーザの操作に応答して、音響用のパラメータの大きさを変更する。パラメータの大きさを変更する場合は、対象となるパラメータの大きさを示す図形がディスプレイ１５の表示画面に表示される。このような状態で、ユーザは、タッチパネル１６に対し、パラメータの大きさの変更を指示する各種の操作を行うことができる。パラメータ変更部１１ｂは、このようなユーザの操作内容に基づいて、音響用のパラメータの大きさを変更する。
【００４０】
表示制御部１１ｃは、ディスプレイ１５の表示内容を制御する。表示制御部１１ｃは、パラメータの大きさを変更する場合に、対象となるパラメータの大きさを示す図形をディスプレイ１５の表示画面に表示させる。また、パラメータ変更部１１ｂによりパラメータの大きさが変更された場合は、表示制御部１１ｃは、変更後のパラメータの大きさに応じてディスプレイ１５に表示させる図形を変更する。
【００４１】
＜１−２．イコライザ機能の概要＞
次に、音声処理部１２が有するイコライザ機能の概要について説明する。イコライザ機能は、音声信号の周波数特性を変更する機能である。イコライザ機能を使うことで、音声信号の特定の周波数の帯域を強調、あるいは、弱めることができる。このようなイコライザ機能は、音質の改善や積極的な音作りに利用される。
【００４２】
図２は、イコライザ機能で用いられるイコライザカーブＷａの例を示す図である。図中の横軸は周波数（Ｈｚ）を示しており、縦軸はゲイン（ｄＢ）を示している。音声処理部１２が有するイコライザ機能は、このイコライザカーブＷａが示すゲインに従って、音声信号の各周波数の音量を調整する。
【００４３】
本実施の形態のイコライザ機能では、７つのバンド（帯域）が設定されている。これら７つのバンドそれぞれにバンドカーブＷｂが設定されている。イコライザカーブＷａが示すゲインは、これら７つのバンドのバンドカーブＷｂが示すゲインを全て加算したものとなる。
【００４４】
各バンドのバンドカーブＷｂは、ある周波数を中心として左右に広がる山のような形状（ガウス曲線と同様の形状）の曲線である。このバンドカーブＷｂの形状や位置は、当該バンドの「増幅度（ゲイン）」及び「Ｑ値」などのパラメータで規定される。音響装置１のイコライザ機能においては、各バンドごとに「増幅度」及び「Ｑ値」などのパラメータの大きさを変更して、各バンドのバンドカーブＷｂの形状や位置を変更できるようになっている。
【００４５】
＜１−３．バンドカーブの変更＞
次に、各バンドのバンドカーブＷｂを変更する操作について説明する。この各バンドのバンドカーブＷｂを変更する操作は、各バンドのパラメータの大きさを変更する操作に相当する。図３は、一のバンドのバンドカーブＷｂを変更するためのディスプレイ１５の表示画面１５ａの表示内容を示す図である。図３に示す表示内容は、イコライザ機能の設定を変更する場面において、７つのバンドのうちから変更対象とする一のバンドを選択する操作をユーザが行った後に表示される。以下、変更対象とする一のバンドを「注目バンド」という。
【００４６】
図に示すように、表示画面１５ａにおいては、注目バンドのバンドカーブＷｂと、完了ボタンＢとが表示されている。表示画面１５ａに表示された横軸は周波数（Ｈｚ）、縦軸はゲイン（ｄＢ）をそれぞれ示している。
【００４７】
バンドカーブＷｂの左右中央の周波数（図中では、８０Ｈｚ）は、注目バンドの「中心周波数」の大きさを示している。そして、バンドカーブＷｂのピークの高さ（中心周波数における高さ）は、注目バンドの「増幅度」の大きさを示している。また、バンドカーブＷｂのピークの鋭さは、注目バンドの「Ｑ値」の大きさを示している。バンドカーブＷｂのピークが鋭いほど（バンドカーブＷｂの幅が狭いほど）、「Ｑ値」は大きくなる。すなわち、バンドカーブＷｂは、注目バンドの「中心周波数」、「増幅度」及び「Ｑ値」の大きさを示す図形であるといえる。
【００４８】
ユーザは、このような表示画面１５ａを参照しつつ、表示画面１５ａに重ねて設けられたタッチパネル１６への操作を行うことで、バンドカーブＷｂの形状や位置を変更することができる。前述のように、タッチパネル１６はマルチタッチ方式を採用しているため、ユーザはピンチイン及びピンチアウトなどの複数の指を用いた操作を行うことが可能である。
【００４９】
図４に示すように、ピンチアウト（ピンチオープン）は、２本の指Ｆでタッチパネル１６に触れた状態で指の間隔を広げる操作である。また、ピンチイン（ピンチクローズ）は、２本の指Ｆでタッチパネル１６に触れた状態で指の間隔を狭める操作である。
【００５０】
図５に示すように、表示画面１５ａの横方向へのピンチイン及びピンチアウトの操作を行った場合は、バンドカーブＷｂのピークの鋭さを変更することができる。これにより、注目バンドの「Ｑ値」を変更することができる。具体的には、図５の下側に示すように、表示画面１５ａの横方向へのピンチアウトの操作を行った場合は、バンドカーブＷｂの幅が広がって、ピークの鋭さが鈍くなる。これにより、注目バンドの「Ｑ値」を小さくすることができる。また、図５の上側に示すように、表示画面１５ａの横方向へのピンチインの操作を行った場合は、バンドカーブＷｂの幅が狭くなって、ピークの鋭さが鋭くなる。これにより、注目バンドの「Ｑ値」を大きくすることができる。
【００５１】
また、図６に示すように、表示画面１５ａの縦方向へのピンチイン及びピンチアウトの操作を行った場合は、バンドカーブＷｂのピークの高さを変更することができる。これにより、注目バンドの「増幅度」を変更することができる。具体的には、図６の下側に示すように、表示画面１５ａの縦方向へのピンチアウトの操作を行った場合は、バンドカーブＷｂのピークの高さが高くなり、注目バンドの「増幅度」を大きくすることができる。また、図６の上側に示すように、表示画面１５ａの縦方向へのピンチインの操作を行った場合は、バンドカーブＷｂのピークの高さが低くなり、注目バンドの「増幅度」を小さくすることができる。
【００５２】
また、ドラッグは、タッチパネル１６に触れた後にそのまま触れた状態で任意の方向へ指を動かす操作である。また、フリックは、タッチパネル１６に触れた後に任意の方向へ指をはらうように動かす操作である。
【００５３】
図７に示すように、表示画面１５ａの横方向へのドラッグあるいはフリックの操作を行った場合は、バンドカーブＷｂの位置を左右に移動できる。これにより、バンドカーブＷｂの「中心周波数」を変更できる。具体的には、図７の下側に示すように、右方向へのドラッグあるいはフリックの操作を行った場合はバンドカーブＷｂが右側に移動し、「中心周波数」を大きくすることができる。また、図７の上側に示すように、左方向へのドラッグあるいはフリックの操作を行った場合はバンドカーブＷｂが左側に移動し、「中心周波数」を小さくすることができる。
【００５４】
また、図８に示すように、表示画面１５ａの縦方向へのドラッグあるいはフリックの操作を行った場合は、バンドカーブＷｂの位置を上下に移動できる。これにより注目バンドの「レベル」を変更できる。具体的には、図８の下側に示すように、下方向へのドラッグあるいはフリックの操作を行った場合はバンドカーブＷｂが下側に移動し、「レベル」を小さくすることができる。また、図８の上側に示すように、上方向へのドラッグあるいはフリックの操作を行った場合はバンドカーブＷｂが上側に移動し、「レベル」を大きくすることができる。
【００５５】
このように、音響装置１では、ピンチイン及びピンチアウトを含むタッチパネル１６への操作によって、バンドカーブＷｂの形状や位置を変更できる。すなわち、ピンチイン及びピンチアウトの操作によって音響用のパラメータの大きさを変更でき、変更後のパラメータの大きさを図形（バンドカーブＷｂ）によって確認することができる。このため、ユーザは、音響用のパラメータの大きさを直感的に変更することができる。
【００５６】
また、「横方向へのピンチイン及びピンチアウトの操作」、「縦方向へのピンチイン及びピンチアウトの操作」、「横方向へのドラッグあるいはフリックの操作」、並びに、「縦方向へのドラッグあるいはフリックの操作」で互いに異なるパラメータを変更することができる。したがって、ユーザは、異なる４つの音響用のパラメータをそれぞれ直感的に変更することができる。
【００５７】
＜１−４．処理の流れ＞
次に、音響用のパラメータを変更する際の処理の流れについて説明する。図９は、注目バンドのパラメータの大きさを変更する際の処理の流れを示す図である。この処理は、イコライザ機能の設定を変更する場面において、７つのバンドのうちから一のバンド（注目バンド）を選択する操作をユーザが行った後に実行される。
【００５８】
まず、パラメータ変更部１１ｂが、記憶部１４に記憶されたパラメータ１４ｂの一部を読み出す（ステップＳ１１）。このようにして読み出されたパラメータには、「中心周波数」、「増幅度」及び「Ｑ値」などの注目バンドのパラメータが含まれている。
【００５９】
次に、表示制御部１１ｃが、読み出された注目バンドのパラメータに従って、そのパラメータの大きさを示す図形であるバンドカーブＷｂをディスプレイ１５に表示させる（ステップＳ１２）。これにより、図３に示すような表示内容がディスプレイ１５の表示画面１５ａに表示される。
【００６０】
次に、音響装置１は、ユーザのタッチパネル１６への操作を待機する状態となる（ステップＳ１３）。そして、ユーザのタッチパネル１６への操作がなされた場合は、操作判定部１１ａが、タッチパネル１６から入力される信号に基づいてユーザの操作内容を判定する（ステップＳ１４）。操作判定部１１ａは、タッチパネル１６へのユーザの操作が、タップ、ドラッグ、フリック、ピンチイン及びピンチアウトなどのいずれであるかを判定する。
【００６１】
さらに、操作判定部１１ａは、ユーザの操作がタップの場合は、ユーザが触れたポイントを判定する。また、操作判定部１１ａは、ユーザの操作がドラッグ、フリック、ピンチインあるいはピンチアウトの場合は、ユーザが触れたポイントとともに、操作方向及び指の移動量を判定する。
【００６２】
そして、ユーザの操作が完了ボタンＢをタップする操作でない場合は（ステップＳ１５にてＮｏ）、パラメータ変更部１１ｂがユーザの操作に応じて、注目バンドのパラメータの大きさを変更する（ステップＳ１６）。
【００６３】
具体的には、ユーザの操作が横方向へのピンチインあるいはピンチアウトの場合は、パラメータ変更部１１ｂは、注目バンドの「Ｑ値」の大きさを変更する。この際、「Ｑ値」の変更量は、指の移動量に応じた量とされる。また、ユーザの操作が縦方向へのピンチインあるいはピンチアウトの場合は、パラメータ変更部１１ｂは、注目バンドの「増幅度」の大きさを変更する。この際、「増幅度」の変更量は、指の移動量に応じた量とされる。
【００６４】
また、ユーザの操作が横方向へのドラッグあるいはフリックの場合は、パラメータ変更部１１ｂは、注目バンドの「中心周波数」の大きさを変更する。この際、「中心周波数」の変更量は、指の移動量に応じた量とされる。また、ユーザの操作が縦方向へのドラッグあるいはフリックの場合は、パラメータ変更部１１ｂは、注目バンドの「レベル」の大きさを変更する。この際、「レベル」の変更量は、指の移動量に応じた量とされる。
【００６５】
このように注目バンドのパラメータの大きさが変更されると、変更後のパラメータが実際の信号処理に反映される（ステップＳ１７）。パラメータ変更部１１ｂは、変更後のパラメータを音声処理部１２に入力する。そして、音声処理部１２は、入力された変更後のパラメータを用いて音声信号に対して信号処理を実行する。これにより、音響装置１では、変更後のパラメータの影響を受けた音質の音が再生される。ユーザは、再生される音を聴くことで、パラメータの変更の結果を確認することができる。
【００６６】
また、これとともに、表示制御部１１ｃが、変更後のパラメータの大きさに応じて、そのパラメータの大きさを示す図形であるバンドカーブＷｂを変更する（ステップＳ１８）。表示制御部１１ｃは、変更後のパラメータの大きさを示すように形状あるいは位置を変更したバンドカーブＷｂをディスプレイ１５の表示画面１５ａに表示させる。ユーザは、このように表示されたバンドカーブＷｂを視認することで、変更後のパラメータの大きさを直感的に把握することができる。
【００６７】
このようにバンドカーブＷｂが変更されると、処理はステップＳ１３に戻る。音響装置１は、再び、ユーザのタッチパネル１６への操作を待機する状態となる（ステップＳ１３）。そして、ユーザがパラメータを変更する操作をさらに行った場合は、上記と同様にして、パラメータ変更部１１ｂがユーザの操作に応答して注目バンドのパラメータを変更する。
【００６８】
このようにして注目バンドのパラメータが変更された後、ユーザが完了ボタンＢをタップする操作を行った場合は（ステップＳ１５にてＹｅｓ）、パラメータ変更部１１ｂは、変更後のパラメータをパラメータ１４ｂの一部として記憶部１４に記憶させる（ステップＳ１９）。
【００６９】
以上のように、音響装置１は、音響用のパラメータの大きさを示す図形を表示画面１５ａに表示するディスプレイ１５を備えており、このディスプレイ１５の表示画面１５ａにはタッチパネル１６が設けられている。音響装置１のパラメータ変更部１１ｂは、タッチパネル１６へのピンチイン及びピンチアウトの操作に応答して、音響用のパラメータの大きさを変更する。そして、表示制御部１１ｃが、変更後のパラメータの大きさに応じて図形を変更する。
【００７０】
このように音響装置１では、タッチパネル１６へのピンチイン及びピンチアウトの操作によって音響用のパラメータの大きさを変更でき、その変更後の大きさを図形で確認できる。このため、ユーザは、音響用のパラメータの大きさを直感的に変更することができる。その結果、ユーザは、信号待ちの停車中などの比較的短い期間であっても、音響用のパラメータの大きさを容易に変更することができる。
【００７１】
また、横方向へのピンチイン及びピンチアウトの操作と、縦方向へのピンチイン及びピンチアウトの操作とで異なる音響用のパラメータを変更することができる。
【００７２】
また、ピンチイン及びピンチアウトの操作と、ドラッグあるいはフリックの操作とで異なる音響用のパラメータを変更することができる。
【００７３】
＜２．第２の実施の形態＞
次に、第２の実施の形態について説明する。第１の実施の形態の音響装置１は、音響用のパラメータとしてイコライザ機能のパラメータを変更するものであった。もちろん、音響装置１が変更対象とする音響用のパラメータは、イコライザ機能以外のものであってよい。このため、以降の実施の形態では、イコライザ機能以外の音響用のパラメータの大きさを変更する態様について説明する。以降の実施の形態の音響装置１の構成及び処理は、第１の実施の形態とほぼ同様であるため、以降の実施の形態では、第１の実施の形態との相違点を中心に説明する。
【００７４】
第２の実施の形態の音響装置１の音声処理部１２は、クロスオーバ（Ｘ−ＯＶＥＲ）機能を有している。クロスオーバ機能は、サブウーファと他のスピーカーとのそれぞれが再生する周波数帯域を調整する機能である。第２の実施の形態の音響装置１は、このクロスオーバ機能のパラメータを変更可能である。
【００７５】
図１０及び図１１は、クロスオーバ機能のパラメータの大きさを変更するためのディスプレイ１５の表示画面１５ａの表示内容を示す図である。表示画面１５ａには、クロスオーバ機能のパラメータの大きさを示す図形Ｇ１が表示されている。表示画面１５ａに表示された横軸は周波数（Ｈｚ）、縦軸はレベルをそれぞれ示している。
【００７６】
この図形Ｇ１は、分割すべき周波数を示す「カットオフ周波数」の大きさと、音の混ざりの程度を示す「スロープ」の大きさを示している。図形Ｇ１の互いに交差する２つの斜線の交差点ＣＰにおける周波数は「カットオフ周波数」の大きさを示している。また、図形Ｇ１の２つの斜線の傾きは「スロープ」の大きさを示している。「スロープ」が大きいほど（斜線の傾きが急なほど）、サブウーファと他のスピーカーとのそれぞれが再生する音の混ざりが少なくなる。
【００７７】
図１０に示すように、表示画面１５ａの横方向へのピンチイン及びピンチアウトの操作を行った場合は、図形Ｇ１の２つの斜線の傾きを変更できる。これにより、「スロープ」を変更することができる。具体的には、図１０の下側に示すように、表示画面１５ａの横方向へのピンチアウトの操作を行った場合は、図形Ｇ１の２つの斜線の傾きが緩やかになり、「スロープ」を小さくすることができる。また、図１０の上側に示すように、表示画面１５ａの横方向へのピンチインの操作を行った場合は、図形Ｇ１の２つの斜線の傾きが急になり、「スロープ」を大きくすることができる。
【００７８】
また、図１１に示すように、表示画面１５ａの横方向へのドラッグあるいはフリックの操作を行った場合は、図形Ｇ１の２つの斜線の交差点ＣＰの位置を左右に移動できる。これにより、「カットオフ周波数」を変更できる。具体的には、図１１の下側に示すように、右方向へのドラッグあるいはフリックの操作を行った場合は交差点ＣＰが右側に移動し、「カットオフ周波数」を大きくすることができる。また、図１１の上側に示すように、左方向へのドラッグあるいはフリックの操作を行った場合は交差点ＣＰが左側に移動し、「カットオフ周波数」を小さくすることができる。
【００７９】
このように第２の実施の形態の音響装置１では、ユーザは、クロスオーバ機能のパラメータの大きさを直感的に変更することができる。
【００８０】
＜３．第３の実施の形態＞
次に、第３の実施の形態について説明する。第３の実施の形態の音響装置１の音声処理部１２は、サラウンド機能を有している。第３の実施の形態の音響装置１は、このサラウンド機能のパラメータのうちの「センターウィズ（ＣＥＮＴＥＲ  ＷＩＤＴＨ）」を変更可能である。「センターウィズ」は、センタースピーカが再生すべき周波数帯の音を、左右のフロントスピーカに振り分ける程度を示すパラメータである。「センターウィズ」が大きいほど、左右のフロントスピーカに音が振り分けられる。
【００８１】
図１２は、「センターウィズ」の大きさを変更するためのディスプレイ１５の表示画面１５ａの表示内容を示す図である。表示画面１５ａには、車両の車室内を示す図形Ｇ９とともに、「センターウィズ」の大きさを示す略楕円形の図形Ｇ２が表示されている。
【００８２】
図１２に示すように、表示画面１５ａの横方向へのピンチイン及びピンチアウトの操作を行った場合は、図形Ｇ２の幅を変更できる。これにより、「センターウィズ」を変更することができる。具体的には、図１２の下側に示すように、表示画面１５ａの横方向へのピンチアウトの操作を行った場合は、図形Ｇ２の幅が広がり、「センターウィズ」を大きくすることができる。また、図１２の上側に示すように、表示画面１５ａの横方向へのピンチインの操作を行った場合は、図形Ｇ２の幅が狭くなり、「センターウィズ」を小さくすることができる。
【００８３】
このように第３の実施の形態の音響装置１では、ユーザは、「センターウィズ」の大きさを直感的に変更することができる。
【００８４】
＜４．第４の実施の形態＞
次に、第４の実施の形態について説明する。第４の実施の形態の音響装置１の音声処理部１２は、タイムアライメント機能を有している。タイムアライメント機能は、スピーカごとに遅延時間を調整する機能である。第４の実施の形態の音響装置１は、このタイムアライメント機能のパラメータであるスピーカごとの「遅延時間」を変更可能である。
【００８５】
図１３は、スピーカごとの「遅延時間」の大きさを変更するためのディスプレイ１５の表示画面１５ａの表示内容を示す図である。表示画面１５ａには、車両の車室内を示す図形Ｇ９とともに、「遅延時間」の大きさを示す４つの略円形の図形Ｇ３が表示されている。これら４つの図形Ｇ３は、左右のフロントスピーカ及び左右のリアスピーカの４つのスピーカにそれぞれ対応している。
【００８６】
図１３に示すように、任意の図形Ｇ３の近傍でピンチイン及びピンチアウトの操作を行った場合は、当該図形Ｇ３の大きさを変更できる。これにより、当該図形Ｇ３に対応するスピーカの「遅延時間」を変更することができる。変更の対象となる図形Ｇ３は、ユーザの指が最初に触れたポイントに最も近い図形が選択される。図１３の例では、右側のフロントスピーカに対応する図形Ｇ３が変更の対象とされている。このため、この場合は、右側のフロントスピーカの「遅延時間」が変更されることになる。
【００８７】
図形Ｇ３を小さくすることは、スピーカを離間させる印象をユーザに与える。このため、本実施の形態では、図形Ｇ３を小さくするほど「遅延時間」が大きくなるようになっている。図１３の下側に示すように、ピンチインの操作を行った場合は、図形Ｇ３が小さくなり、「遅延時間」を大きくすることができる。また、図１３の上側に示すように、ピンチアウトの操作を行った場合は、図形Ｇ２が大きくなり、「遅延時間」を小さくすることができる。
【００８８】
このように第４の実施の形態の音響装置１では、ユーザは、スピーカごとの「遅延時間」の大きさを直感的に変更することができる。
【００８９】
＜５．第５の実施の形態＞
次に、第５の実施の形態について説明する。第５の実施の形態の音響装置１の音声処理部１２は、自動音量補正機能を有している。自動音量補正機能は、異なる環境で録音された楽曲を再生する場合に、その音量を一定レベルに調整する機能である。第５の実施の形態の音響装置１は、この自動音量補正機能のパラメータを変更可能である。
【００９０】
図１４及び図１５は、自動音量補正機能のパラメータの大きさを変更するためのディスプレイ１５の表示画面１５ａの表示内容を示す図である。表示画面１５ａには、自動音量補正機能のパラメータの大きさを示す図形Ｇ４が表示されている。表示画面１５ａに表示された横軸は時間、縦軸はレベルをそれぞれ示している。
【００９１】
この図形Ｇ４は、目標とすべき音量のレベルを示す「目標レベル」の大きさと、音量を変化させる速度を示す「変化速度」の大きさを示している。図形Ｇ４の右端の高さは、「目標レベル」の大きさ（Ｈｉ，Ｍｉｄ，Ｌｏｗ）を示している。また、図形Ｇ４の斜線の傾きは「変化速度」の大きさを示している。「変化速度」が大きいほど（斜線の傾きが急なほど）、楽曲の音量の変化に合わせて速やかに音量が補正される。
【００９２】
図１４に示すように、表示画面１５ａの横方向へのピンチイン及びピンチアウトの操作を行った場合は、図形Ｇ４の斜線の傾きを変更できる。これにより、「変化速度」を変更することができる。具体的には、図１４の下側に示すように、表示画面１５ａの横方向へのピンチアウトの操作を行った場合は、図形Ｇ４の斜線の傾きが緩やかになり、「変化速度」を小さくすることができる。また、図１４の上側に示すように、表示画面１５ａの横方向へのピンチインの操作を行った場合は、図形Ｇ４の斜線の傾きが急になり、「変化速度」を大きくすることができる。
【００９３】
また、図１５に示すように、表示画面１５ａの縦方向へのドラッグあるいはフリックの操作を行った場合は、図形Ｇ４の右端の位置を上下に移動できる。これにより、「目標レベル」を変更できる。具体的には、図１５の下側に示すように、下方向へのドラッグあるいはフリックの操作を行った場合は図形Ｇ４の右端が下側に移動し、「目標レベル」を小さくすることができる。また、図１５の上側に示すように、上方向へのドラッグあるいはフリックの操作を行った場合は図形Ｇ４の右端が上側に移動し、「目標レベル」を大きくすることができる。
【００９４】
このように第５の実施の形態の音響装置１では、ユーザは、自動音量補正機能のパラメータの大きさを直感的に変更することができる。
【００９５】
＜６．第６の実施の形態＞
次に、第６の実施の形態について説明する。第６の実施の形態の音響装置１の音声処理部１２は、音像調整機能を有している。音像調整機能は、音像を定位させる領域を調整する機能である。第６の実施の形態の音響装置１は、この音像調整機能のパラメータを変更可能である。
【００９６】
図１６及び図１７は、音像調整機能のパラメータの大きさを変更するためのディスプレイ１５の表示画面１５ａの表示内容を示す図である。表示画面１５ａには、車両の車室内を示す図形Ｇ９とともに、音像を定位させる領域を示す図形Ｇ５が表示されている。
【００９７】
この図形Ｇ５は、音像を定位させる位置を示す２次元の座標である２つの「音像座標」の大きさと、音の広がり感を示す「音場レベル」の大きさとを示している。図形Ｇ５の位置が、縦横２つの「音像座標」の大きさを示している。また、図形Ｇ５の大きさが「音場レベル」の大きさを示している。
【００９８】
図１６に示すように、ピンチイン及びピンチアウトの操作を行った場合は、図形Ｇ５の大きさを変更できる。これにより、「音場レベル」を変更することができる。具体的には、図１６の下側に示すように、表示画面１５ａの横方向へのピンチアウトの操作を行った場合は、図形Ｇ５の大きさが大きくなり、「音場レベル」を大きくすることができる。また、図１６の上側に示すように、表示画面１５ａの横方向へのピンチインの操作を行った場合は、図形Ｇ５の大きさが小さくなり、「音場レベル」を小さくすることができる。
【００９９】
また、図１７に示すように、図形Ｇ５に対してドラッグの操作を行った場合は、図形Ｇ５を所望の位置へ移動できる。これにより、縦横２つの「音像座標」を変更できる。
【０１００】
このように第６の実施の形態の音響装置１では、ユーザは、音像調整機能のパラメータの大きさを直感的に変更することができる。
【０１０１】
なお、図１６及び図１７の例では、音像を定位させる領域は１つのみであったが、フロントシートとリアシートとで異なる２つの領域を設定できるようになっていてもよい。この場合は、フロントシートで音像を定位させる領域を示す図形と、リアシートで音像を定位させる領域を示す図形とを個別に表示するようにすればよい。
【０１０２】
また、図１８に示すように、図形Ｇ５の一方の外部から他方の外部までタッチパネル１６に触れた状態で指Ｆを動かす操作（図形Ｇ５を切断するような操作）を行った場合は、図形Ｇ５を２つの図形Ｇ５ｆ，Ｇ５ｒに分離できるようにしてもよい。この場合は、１つの図形Ｇ５のみを表示している間は音像を定位させる領域を一つのみ設定でき、２つの図形Ｇ５ｆ，Ｇ５ｒに分離した後は音像を定位させる領域を２つ設定できることになる。
【０１０３】
＜７．第７の実施の形態＞
次に、第７の実施の形態について説明する。第７の実施の形態の音響装置１は、第６の実施の形態と同様に音像調整機能のパラメータの大きさを変更可能である。そして、第７の実施の形態の音響装置１は、音像調整機能のパラメータを変更する表示画面１５ａにおいて、音像調整機能以外の音響用のパラメータの大きさをさらに変更できるようになっている。
【０１０４】
図１９及び図２０は、音像調整機能のパラメータの大きさを変更するためのディスプレイ１５の表示画面１５ａの表示内容を示す図である。表示画面１５ａには、車両の車室内を示す図形Ｇ９とともに、音像を定位させる領域を示す図形Ｇ６が表示されている。
【０１０５】
この図形Ｇ６については、第６の実施の形態の図形Ｇ５と同様に、２つの「音像座標」の大きさと「音場レベル」の大きさとを示している。そして、第６の実施の形態と同様に、ピンチイン及びピンチアウトの操作を行った場合は図形Ｇ６の大きさを変更でき、ドラッグの操作を行った場合は図形Ｇ６を所望の位置へ移動できる。
【０１０６】
また、図形Ｇ６内には、音像調整機能以外の音響用のパラメータの大きさが文字で示されている。以下、文字で示されたパラメータを「文字パラメータ」という。図１９の例においては、文字パラメータとして「音量」が示されている。
【０１０７】
図１９に示すように、文字パラメータに対して表示画面１５ａの縦方向へのフリックの操作を行った場合は、この文字パラメータの大きさを変更できる。具体的には、図１９の下側に示すように、下方向へのフリックの操作を行った場合は文字パラメータを小さくすることができる。図１９の例においては、「音量」を小さくすることができる。また、図１９の上側に示すように、上方向へのフリックの操作を行った場合は文字パラメータを大きくすることができる。図１９の例においては、「音量」を大きくすることができる。
【０１０８】
また、図２０に示すように、文字パラメータに対して表示画面１５ａの横方向へのフリックの操作を行った場合は、文字パラメータの種類を変更できる。図２０の例では、右方向へのフリックの操作を行った場合は文字パラメータの種類を「音量」から「イコライザプリセット」に変更できるようになっている。このように文字パラメータの種類を変更した以降は、縦方向へのフリックの操作によって、変更後の種類の文字パラメータの大きさを変更できることになる。
【０１０９】
このように第７の実施の形態の音響装置１では、ユーザは、同一の表示画面１５ａを参照しながら、音像調整機能のパラメータとともに、音像調整機能以外の音響用のパラメータの大きさもタッチパネル１６への操作によって変更することができる。
【０１１０】
＜８．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【０１１１】
上記実施の形態では、タッチパネル１６への操作を行った場合に、まず、パラメータの大きさを変更し、その後、変更後のパラメータの大きさを示すように図形を変更していた。これに対して、タッチパネル１６への操作を行った場合に、まず、図形を変更し、その変更後の図形に応じてパラメータの大きさを変更するようにしてもよい。
【０１１２】
また、上記実施の形態では、音響装置として車載装置を例に説明を行ったが、音響装置は、ホーム用の音響装置や可搬性の音響装置などであってもよい。また、音響装置は、プログラムを実行することで音響装置として機能するコンピュータであってもよい。このようなコンピュータは、携帯電話やスマートフォンなどの可搬性装置を含む。
【０１１３】
また、上記実施の形態では、ユーザが、複数のバンドから一のバンドを選択し、当該バンドのバンドカーブＷｂの形状や位置を、タッチパネル１６への操作によって変更できるようになっていた。これに対して、図２に示すような全体域のイコライザカーブＷａの形状をタッチパネル１６への操作によって直接変更できるようにし、バンドの選択が不要になっていてもよい。この場合においても、ユーザは、音響用のパラメータの大きさを直感的に変更することができる。この場合は、例えば、ユーザがピンチイン及びピンチアウトの操作を行った場合は、パラメータ変更部１１ｂがユーザの指が最初に接触した２点に最も近接するバンドを特定し、そのバンドの「増幅度」又は「Ｑ値」（バンドカーブの形状）をピンチイン及びピンチアウトの操作に応じて変更する。また、ユーザがドラッグあるいはフリックの操作を行った場合は、パラメータ変更部１１ｂがユーザの指が最初に接触した点に最も近接するバンドを特定し、そのバンドの「中心周波数」又は「レベル」（バンドカーブの位置）を変更する。この場合は、比較的細かな周波数間隔でバンドを設定することが望ましい。
【０１１４】
また、上記実施の形態では、プログラムに従ったＣＰＵの演算処理によってソフトウェア的に各種の機能が実現されると説明したが、これら機能のうちの一部は電気的なハードウェア回路により実現されてもよい。また逆に、ハードウェア回路によって実現されるとした機能のうちの一部は、ソフトウェア的に実現されてもよい。
【符号の説明】
【０１１５】
１    音響装置
１１ａ    操作判定部
１１ｂ    パラメータ変更部
１１ｃ    表示制御部
１２    音声処理部
１５    ディスプレイ
１５ａ    表示画面
１６    タッチパネル
【図１】
0006027314.tif 000002
【図２】
0006027314.tif 000003
【図３】
0006027314.tif 000004
【図４】
0006027314.tif 000005
【図５】
0006027314.tif 000006
【図６】
0006027314.tif 000007
【図７】
0006027314.tif 000008
【図８】
0006027314.tif 000009
【図９】
0006027314.tif 000010
【図１０】
0006027314.tif 000011
【図１１】
0006027314.tif 000012
【図１２】
0006027314.tif 000013
【図１３】
0006027314.tif 000014
【図１４】
0006027314.tif 000015
【図１５】
0006027314.tif 000016
【図１６】
0006027314.tif 000017
【図１７】
0006027314.tif 000018
【図１８】
0006027314.tif 000019
【図１９】
0006027314.tif 000020
【図２０】
0006027314.tif 000021